(57)【要約】【課題】  簡単な器具で、面倒な作業を要せずして手軽に遊ぶことができる投擲遊具を提供する。【解決手段】  長方形状の基板１１の奥側の短辺に沿って正面板１２を起立固定し、基板１１の長辺の正面板１２側に長辺に沿って左右側面板１３，１３を対向させて起立固定し、基板１１上の左右側面板１３，１３と正面板１２とに囲まれた標的領域に複数の得点穴１７を設け、各得点穴１７に得点１８を記してなる遊具本体１４と、該遊具本体１４の得点穴１７からなる標的に向けて投げる投擲物１５とから構成する。【選択図】  図１
0003161152.tif 000002
【実用新案登録請求の範囲】
【請求項１】
長方形状の基板（１１）の奥側の短辺に沿って正面板（１２）を起立固定し、前記基板（１１）の長辺の正面板側に長辺に沿って左右側面板（１３，１３）を対向させて起立固定し、前記基板（１１）上の前記左右側面板（１３，１３）と正面板（１２）とに囲まれた標的領域に複数の得点穴（１７）を設け、各得点穴（１７）に得点（１８）を記してなる遊具本体（１４）と、該遊具本体（１４）の前記得点穴（１７）からなる標的に向けて投げる投擲物（１５）とからなることを特徴とする投擲遊具。
【請求項２】
投擲物（１５）がサイコロである請求項１に記載の投擲遊具。
【請求項３】
遊具本体（１４）から投擲位置までの距離を計測できる計測用線状体（２２）を基板（１１）に取り付けてある請求項１又は２に記載の投擲遊具。
【請求項４】
遊具本体（１４）をなす基板（１１）と正面板（１２）と左右側面板（１３，１３）とは、折り畳み又は分解可能とした請求項１〜３のいずれか１項に記載の投擲遊具。
【考案の詳細な説明】
【技術分野】
【０００１】
本考案は、簡単な器具で楽しく遊ぶことができる投擲遊具に関するものである。
【背景技術】
【０００２】
従来、ボーリングにゲートボールを取り入れ、狭いスペースで誰でも手軽に遊べるゲームがあった。これは、図７に示すように、マット３の幅方向両端に長手方向に相互に平行なガーター２，２をそれぞれ設け、マット３の長手方向一端部にピン立て具にて複数のピン５を一定の配列に並べ、これらのピン５をマット３の長手方向他端部に置いたボール７を打撃棒８にて打つことで、ピン５を倒し、これらの倒れたピンの本数により勝敗を決するものである。
【０００３】
しかし、ピン５を所定位置に一定の配列に並べるためにピン立て具、ボール７を打つための打撃棒８が必要であり、また、一端投げ終わり次のゲームを始める度毎に再びピン５を一定の配列に並べる作業が必要であり面倒である。
【先行技術文献】
【特許文献】
【０００４】
【特許文献１】実開平５−３３７６２号公報
【考案の概要】
【考案が解決しようとする課題】
【０００５】
そこで、本考案の目的は、簡単な器具で、面倒な作業を要せずして手軽に遊ぶことができる投擲遊具を提供することにある。
【課題を解決するための手段】
【０００６】
上記課題を解決するため、本考案による投擲遊具は、長方形状の基板の奥側の短辺に沿って正面板を起立固定し、前記基板の長辺の正面板側に長辺に沿って左右側面板を対向させて起立固定し、前記基板上の前記左右側面板と正面板とに囲まれた標的領域に複数の得点穴を設け、各得点穴に得点を記してなる遊具本体と、該遊具本体の前記得点穴からなる標的に向けて投げる投擲物とからなること、を特徴としている。
ここで、投擲物をサイコロとするとよい。
また、遊具本体から投擲位置までの距離を計測できる計測用線状体を基板に取り付けるとよい。
また、遊具本体をなす基板と正面板と左右側面板とは、折り畳み又は分解可能とするのが好ましい。
【考案の効果】
【０００７】
本考案による投擲遊具によれば、標的となる得点穴を設けた基板と正面板と左右側面板からなる遊具本体と投擲物とからなり、遊具本体に設けた標的に向けて投擲物を投げて得点を競うだけなので、簡単な器具で、面倒な作業を要することなく子供から大人まで手軽にゲームを楽しむことができる。
また、投擲物がサイコロであると、得点穴の得点とサイコロの目の数を組み合わせて得点を決めることができるなど得点パターンを適宜設定できて、ゲームをさらに楽しくすることができる。
また、遊具本体から投擲位置までの距離を計測できる計測用線状体を基板に取り付ければ、投擲位置を簡単に計測できて便利である。
また、遊具本体をなす基板と正面板と左右側面板とを、折り畳み又は分解可能とすれば、不使用時又は持ち運びに際してコンパクトにでき、保管のスペースを要せず、持ち運びも容易となる。
【図面の簡単な説明】
【０００８】
【図１】本考案の実施例による投擲遊具の斜視図である。
【図２】遊具本体の平面図である。
【図３】基板上に正面板を折り畳んだ状態を示す側面図である。
【図４】左右側面板を基板に取り付ける様子を示す分解斜視図である。
【図５】遊具本体に向けて投擲物を投げる際の様子を示す側面図である。
【図６】サイコロ投擲後の様子の一例を示す平面図である。
【図７】従来例による遊具の全体を示す斜視図である。
【考案を実施するための形態】
【０００９】
以下、本考案を実施するための形態を図面に基づいて具体的に説明する。本考案による投擲遊具１０は、標的が設けられた基板１１、正面板１２、左右側面板１３，１３からなる遊具本体１４と、遊具本体１４の標的に向けて投げられる投擲物１５とからなる。基板１１は長方形状で、基板１１の奥側の短辺に沿って方形状の正面板１２を起立固定し、基板１１の左右の長辺の正面板１２側に長辺に沿って長方形状の左右側面板１３，１３を起立固定してある。正面板１２と左右側面板１３，１３とは、打掛金具１６を介して連結し、基板１１に起立固定してある。
【００１０】
基板１１上の正面板１２と左右側面板１３，１３とに囲まれた領域に標的となる複数（６個）の得点穴１７を設けてある。各得点穴１７の脇には得点を示す数値１８を記してある。得点穴１７は、図においては、６箇所設けたものを示したが、得点穴１７の大きさ、配置、数、得点に対応する数値１８などは、適宜変更できることは勿論である。また、得点穴１７の深さは、余り浅いと、一度入った投擲物１５が勢いで外に飛び出し易くなるので、ある程度の深さにして投擲物１５が外に飛び出し難いようにすることが好ましいが、投擲物１５の頂部が外に露出するようにして外部から見え易いようにすることが好ましい。  
【００１１】
基板１１と正面板１２とは、蝶番１９を介して回動可能に連結し、不使用時又は持ち運ぶ際には、折り畳んでコンパクトにできるようにしてある（図３）。また、基板１１と左右側面板１３，１３とは、側面板１３の下端面にダボ２０、基板１１の対応する位置にダボ穴２１をそれぞれ設け、着脱可能に取り付けてあり、不使用時又は持ち運ぶ際には、基板１１と左右側面板１３，１３とを分離してコンパクトにできるようにしてある（図４）。なお、折り畳み又は分離可能な構造は上記したものに限られるものではない。
【００１２】
左右側面板１３，１３を設けてあるので、該側面板１３，１３で跳ね返り投擲物１５が得点穴１７に入り易くなる。もし、側面板１３がないと、正面板１２で跳ね返った投擲物１５が基板１１から外に飛び出し易くなって、得点を得られ難くなる。
【００１３】
上記において、基板１１、正面板１２、左右側面板１３は木製としたが、プラスチック製でも金属製でもよく、材質は特に問わない。
基板１１の手前側の側面には、基板１１（遊具本体１４）から投擲位置までの距離を計測するロープ（線状体）２２を取り付けてある。
【００１４】
投擲物１５は特に限定されるものではなく、例えばボールでもよいし、サイコロでもよい。サイコロの場合、６面に打たれたサイコロの目と得点穴１７の数値１８とを組み合わせて得点を定めることができる。例えば、サイコロの目と得点穴１７の得点１８とを掛け合わせた数値又は足した数値を得点とする、など得点パターンを適宜設定できるので、より楽しいゲームにすることができる。
【００１５】
寸法の一例を示すと、基板１１は幅（横）３５ｃｍ、奥行（縦）６０ｃｍ、正面板１２は幅３５ｃｍ、高さ３０ｃｍ、側面板１３は奥行４５ｃｍ、高さ２０ｃｍ、得点穴１７の直径１０ｃｍ、深さ２ｃｍ、サイコロ１５の一辺３ｃｍとした。かかる寸法は一例であって、適宜変更可能であることは勿論である。
【００１６】
かかる投擲遊具１０を用いてのゲームの仕方の一例を説明する。投擲物１５としてサイコロを複数個用意し、遊具本体１４を適当な場所に設置し、遊具本体１４より適当な距離（例えば２メートル）から遊具本体１４の標的に向けてサイコロ１５を投擲して得点を競うゲームとする。
【００１７】
１フレームの投擲で５個のサイコロ１５を順次投擲し、これを各競技者が１０フレームづつ行って、得点を競うものとする。得点は例えば次のように定めるものとする。投擲したサイコロ１５が入った得点穴１７の数値１８とサイコロ１５の目の数とを掛け合わせた数値を得点とし、基板１１上であるが得点穴１７から外れた場合は０点、遊具本体１４から外に飛び出してしまった場合は飛び出したサイコロ１５の目の数の減点とする、ルールとする。
【００１８】
５個のサイコロ１５を投擲した結果が図６に示すようであれば、（１×２）＋（２×５）＋（３×３）＋（０×１）−６＝１５、得点は１５点となる。
このようにして、各競技者は１０フレームの投擲をして各フレームの得点を合算して総得点を競う。
【００１９】
なお、上記したルールは一例であって、適宜変更可能である。例えば、投擲は左右の手で交互に行うことにする、１フレームで投擲するサイコロの数を変更する、１０フレームを５フレームにする、競技者によって適当なハンデを付ける、など適宜ルールを変更して楽しむことができるのは勿論である。その他種々のルールを定めてゲームを行うようにしてもよい。
【符号の説明】
【００２０】
１０  投擲遊具
１１  基板
１２  正面板
１３  側面板
１４  遊具本体
１５  投擲物（サイコロ）
１６  打掛金具
１７  得点穴
１８  数値
１９  蝶番
２０  ダボ
２１  ダボ穴
２２  ロープ（線状体）
【図１】
0003161152.tif 000003
【図２】
0003161152.tif 000004
【図３】
0003161152.tif 000005
【図４】
0003161152.tif 000006
【図５】
0003161152.tif 000007
【図６】
0003161152.tif 000008
【図７】
0003161152.tif 000009